(57)【要約】      （修正有）【課題】様々な規格の携帯電話に応用可能な無線充電装置を提供する。【解決手段】無線充電装置１は、無線送電装置１１と、無線受電装置１２と、コネクタ１３とを備える。無線送電装置１１は位置決め溝を有し、且つ電源に電気的に接続される。無線受電装置１２は位置決め溝に対応する形状を有し、前記位置決め溝に内設され、コネクタ１３は無線受電装置１２及び携帯装置に接続され、電力が携帯装置に供給される。無線受電装置１２はコネクタ１３により接続され、携帯装置の背面に設置される。【選択図】図１
0003210798.tif 000002
【実用新案登録請求の範囲】
【請求項１】
位置決め溝を有し、且つ電源に電気的に接続される無線送電装置と、
前記位置決め溝に対応する形状を有し、前記位置決め溝に内設される無線受電装置と、
前記無線受電装置及び携帯装置に接続されるためのコネクタとを備え、
前記無線受電装置は前記コネクタにより接続され、前記携帯装置の背面に設置されることを特徴とする、
無線充電装置。
【請求項２】
ケースを更に備え、前記無線受電装置に対応する収納用凹部を有し、前記収納用凹部は前記無線送電装置の位置決め溝に対応する形状を呈することを特徴とする、請求項１に記載の無線充電装置。
【請求項３】
前記無線送電装置は、斜度を有するベースを備えることを特徴とする、請求項１に記載の無線充電装置。
【請求項４】
前記斜度の範囲は１０度から８０度の間であることを特徴とする、請求項３に記載の無線充電装置。
【請求項５】
前記ベースに設置される指示灯を更に備えることを特徴とする、請求項３に記載の無線充電装置。
【請求項６】
前記無線送電装置は、前記位置決め溝に設置される物体を検知させると共に前記物体が前記携帯装置ではない場合、ワイヤレス給電を停止させるための検知器を備えることを特徴とする、請求項１に記載の無線充電装置。
【請求項７】
前記コネクタは可撓性構成を備えることを特徴とする、請求項１に記載の無線充電装置。
【考案の詳細な説明】
【技術分野】
【０００１】
本考案は、無線充電装置に関し、より詳しくは、外付け式の無線充電装置に関する。
【背景技術】
【０００２】
現在市場にある各種の無線充電装置は、無線充電受電機が携帯装置内部に設置され、携帯装置が無線充電送電機に対応するように設置されて充電動作を行う。
【考案の概要】
【考案が解決しようとする課題】
【０００３】
しかしながら、従来の無線充電装置では、無線充電受電機が内蔵される携帯装置は無線通信プロトコルの規定に基づき、同じ仕様の無線通信プロトコルを使用する無線充電送電機にのみ対応してペアリングさせて充電動作するため、無線充電の応用は大きく制限されている。
【０００４】
そこで、本考案者は上記の欠点が改善可能と考え、鋭意検討を重ねた結果、合理的かつ効果的に課題を改善する本考案の無線充電装置の提案に到った。
【０００５】
本考案は、このような従来の問題に鑑みてなされたものであり、その目的とするところは、様々な規格の携帯装置に応用可能な無線充電装置を提供することである。
【課題を解決するための手段】
【０００６】
上述した課題を解決し、上記目的を達成するための本考案は、無線送電装置と、無線受電装置と、コネクタとを備える。無線送電装置は位置決め溝を有すると共に電源に電気的に接続される。無線受電装置は位置決め溝に対応する形状を有し、前記位置決め溝に内設される。コネクタは無線受電装置及び携帯装置に接続され、無線受電装置はコネクタにより接続され、携帯装置の背面に設置される。
【考案の効果】
【０００７】
本考案の外付け式の無線充電装置は、無線受電装置が携帯装置の外部に設置される。無線充電装置が様々な携帯装置に応用可能になり、無線充電装置が内蔵される携帯装置への使用にのみ限定されなくなるため、実用性が大幅に高まる。
【図面の簡単な説明】
【０００８】
【図１】本考案に係る無線充電装置を示す外観斜視図である。
【図２】本考案に係る無線充電装置を示す分解図である。
【図３】本考案に係る無線充電装置のＡ−Ａ線に沿う断面図。
【考案を実施するための形態】
【０００９】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例】
【００１０】
以下、本考案の具体的な実施形態について添付図面に基づき説明する。図１は本考案に係る無線充電装置を示す外観斜視図であり、図２は本考案に係る無線充電装置を示す分解図であり、図３は本考案に係る無線充電装置のＡ−Ａ線に沿う断面図である。
無線充電装置１は、無線送電装置１１と、無線受電装置１２と、コネクタ１３とを備える。無線送電装置１１は位置決め溝１１１を有すると共に電源に電気的に接続される。無線受電装置１２は位置決め溝１１１に対応する形状を有し、前記位置決め溝１１１に内設される。コネクタ１３は無線受電装置１２及び携帯装置Ｍに接続され、無線受電装置１２はコネクタ１３により接続され、携帯装置Ｍの背面に設置され、使用者が無線受電装置１２を携帯装置Ｍと共に無線送電装置１１の位置決め溝１１１中に定位させて無線充電が行えるようになる。
【００１１】
更に詳しくは、前述のコネクタ１３は無線受電装置１２が受電した電力を携帯装置Ｍに給電させるために用いられる。
【００１２】
上述したように、無線受電装置１２及び携帯装置Ｍをより安定的に接続させるため、無線充電装置１はケース１４を更に備え、携帯装置Ｍに対応する形状及び無線受電装置１２に対応する収納用凹部１４１を有する。収納用凹部１４１は無線送電装置１１の位置決め溝１１１に対応する形状を呈し、開放溝形態に設計され、使用者が無線充電を行う場合に、無線受電装置１２及び携帯装置Ｍが無線送電装置１１の位置決め溝１１１中に係合される。
【００１３】
また、無線送電装置１１は斜度を有するベースを備える。斜度の範囲は１０度から８０度の間である。使用者が需要に応じて角度を変更できる設計となっており、使用者が充電中にも携帯装置Ｍの機能を使用可能になる。
【００１４】
なお、無線充電装置１はベースに設置される指示灯１５を備え、充電状態の表示に使用される。例えば、指示灯１５は様々な色を利用して現在の携帯装置Ｍが充電状態であることや、充電が完了した状態であること等を表示させる。
【００１５】
無線送電装置１１は、位置決め溝１１１に設置される物体の検知に用いられる検知器（図示せず）を備え、且つ物体が携帯装置Ｍではない場合、ワイヤレス給電を中断させ、充電装置の使用上の安全性を確保させる。
【００１６】
また、コネクタ１３は可撓性構成を備え、使用状況に応じて湾曲され、使用者がケース１４を被せたままでも携帯装置Ｍを使用可能になる。例えば、携帯装置Ｍのデータを伝送させる場合、コネクタ１３を携帯装置Ｍの充電孔から引き抜き、データ伝送用の伝送コードを携帯装置Ｍの充電孔に挿入させるのみでよく、コネクタ１３、無線受電装置１２、またはケース１４を全て取り外す必要がない。なお、異なる規格の携帯装置Ｍについても、使用者がコネクタ１３を交換するのみで、無線受電装置１２及び携帯装置Ｍを接続させることができる。
【００１７】
本明細書に開示された実施例は、本考案を限定するものではなく、説明するためのものであり、このような実施例によって本考案の思想と範囲が限定されるものではない。本考案の範囲は実用新案登録請求の範囲により解釈すべきであり、それと同等の範囲内にある全ての技術は、実用新案登録請求の範囲に含まれるものと解釈すべきである。
【符号の説明】
【００１８】
１      無線充電装置
１１    無線送電装置
１１１  位置決め溝
１２    無線受電装置
１３    コネクタ
１４    ケース
１４１          収納用凹部
１５    指示灯
Ｍ      携帯装置
【図１】
0003210798.tif 000003
【図２】
0003210798.tif 000004
【図３】
0003210798.tif 000005